(57)【特許請求の範囲】
【請求項１】
左右反対側に突き出した各一対のヒンジピンとロックピンとを備えたテーブル本体と、揺動の中心となる前記ヒンジピンが挿入される軸穴および、前記ロックピンが挿入され、そのロックピンを付勢するバネ部材が組み込まれた可動穴が形成された左右一対のブラケットとを有し、壁面に固定された前記ブラケットに対し前記テーブル本体が揺動可能に支持された折りたたみ式テーブルにおいて、
前記テーブル本体のヒンジピンとロックピンとがそれぞれに貫通する貫通孔が形成された板材であり、前記可動穴を塞ぐため前記テーブル本体と前記ブラケットとの間に挟み込まれたフサギ板を有するものであることを特徴とする折りたたみ式テーブル。
【請求項２】
請求項１に記載する折りたたみ式テーブルにおいて、
前記ヒンジピンとロックピンとがそれぞれに貫通する貫通孔は長孔であり、前記ロックピンが貫通する貫通孔は前記ロックピンの移動範囲より小さく形成され、前記フサギ板が前記テーブル本体の揺動に伴いスライドするようにしたものであることを特徴とする折りたたみ式テーブル。
【請求項３】
請求項２に記載する折りたたみ式テーブルにおいて、
前記フサギ板は、その一部が、前記テーブル本体が倒された使用状態と前記テーブル本体が起立した非使用状態の前記テーブル本体や前記ブラケットを側面側から見た外形に合わせた形状で形成されたものであることを特徴とする折りたたみ式テーブル。
【請求項４】
請求項１乃至請求項３のいずれかに記載する折りたたみ式テーブルにおいて、
前記ブラケットは、前記可動穴の開口面側に、前記フサギ板がスライドする可動範囲を区切る段差が形成され、その可動範囲側が凹んでいることを特徴とする折りたたみ式テーブル。
【請求項５】
請求項４に記載する折りたたみ式テーブルにおいて、
前記テーブル本体が倒された使用状態と前記テーブル本体が起立した非使用状態とでは、前記フサギ板が前記段差に当たって位置決めされるようにしたものであることを特徴とする折りたたみ式テーブル。
【発明の詳細な説明】
【技術分野】
【０００１】
本発明は、従来から存在する折りたたみ式テーブルを利用し、極めて簡単な構成の変更によって穴部分への異物の挿入を防止した折りたたみ式テーブルに関する。
【背景技術】
【０００２】
例えば、高速鉄道車両などには座席毎にテーブルが設けられているが、最前列の席では、壁に固定されたブラケットにテーブル本体が軸支された構造のものが使用されている。その折りたたみ式テーブルは、テーブル本体が壁に沿って起立した非使用状態から、水平に倒された使用状態との間で揺動が可能な構成を有している。図７は、下記特許文献１に記載された折りたたみ式テーブルの軸部の構成を示した透過図である。
【０００３】
この折りたたみ式テーブル１００は、テーブル本体１０２がヒンジピン１０５を有し、ブラケット１０３の軸穴にはめ込まれ、そのヒンジピン１０５を中心にテーブル本体１０２が揺動可能である。ブラケット１０３は、軸穴よりも大きく形成された可動穴１１０を有し、そこにバネ部材１１１，１１２が組み込まれている。テーブル本体１０２には、ヒンジピン１０５の他にロックピン１０６が設けられ、そのロックピン１０６がテーブル本体１０２の使用状態と非使用状態とに対応した位置で保持されるように、ロックピン１０６が可動穴１１０の壁に押し付けられる。
【先行技術文献】
【特許文献】
【０００４】
【特許文献１】特開２０１１−１５７４６号公報
【発明の概要】
【発明が解決しようとする課題】
【０００５】
ところで、図７に示した従来の折りたたみ式テーブルは、テーブル本体１０２の可動穴１１０がブラケット１０３によって常に塞がれている。これは、ヒンジピン１０５やロックピン１０６、そして特に可動穴１１０を露出させないようにするためである。図７に示すもの以外の従来の折りたたみ式テーブルは、テーブル本体が起立した非使用状態では可動穴１１０が露出してしまい、そこに異物を入れることが可能であった。異物の入った状態でテーブル本体１０２が倒されると、異物を噛み込んでしまいテーブル本体１０２の揺動を制限して使用ができず、或いは無理をすることで部品を破壊してしまうおそれがあった。その点、図７に示す従来例は、このような課題の解消が可能である。しかし、図７に示す従来例では、新たな折りたたみ式テーブルを設計及び製造し直さなければならず、既に設置されているものを全て取り替えることになり、大幅なコストアップになってしまう。
【０００６】
そこで、本発明は、かかる課題を解決すべく、既存のものを利用して可動穴への異物挿入を防止するようにした折りたたみ式テーブルを提供することを目的とする。
【課題を解決するための手段】
【０００７】
本発明に係る折りたたみ式テーブルは、左右反対側に突き出した各一対のヒンジピンとロックピンとを備えたテーブル本体と、揺動の中心となる前記ヒンジピンが挿入される軸穴および、前記ロックピンが挿入され、そのロックピンを付勢するバネ部材が組み込まれた可動穴が形成された左右一対のブラケットとを有し、壁面に固定された前記ブラケットに対し前記テーブル本体が揺動可能に支持されたものであって、前記テーブル本体のヒンジピンとロックピンとがそれぞれに貫通する貫通孔が形成された板材であり、前記可動穴を塞ぐため前記テーブル本体と前記ブラケットとの間に挟み込まれたフサギ板を有するものであることを特徴とする。
【０００８】
また、本発明に係る折りたたみ式テーブルは、前記ヒンジピンとロックピンとがそれぞれに貫通する貫通孔は長孔であり、前記ロックピンが貫通する貫通孔は前記ロックピンの移動範囲より小さく形成され、前記フサギ板が前記テーブル本体の揺動に伴いスライドするようにしたものであることが好ましい。
また、本発明に係る折りたたみ式テーブルは、前記フサギ板の一部が、前記テーブル本体が倒された使用状態と前記テーブル本体が起立した非使用状態の前記テーブル本体や前記ブラケットを側面側から見た外形に合わせた形状で形成されたものであることが好ましい。
【０００９】
また、本発明に係る折りたたみ式テーブルは、前記ブラケットが、前記可動穴の開口面側に、前記フサギ板がスライドする可動範囲を区切る段差が形成され、その可動範囲側が凹んでいることが好ましい。
また、本発明に係る折りたたみ式テーブルは、前記テーブル本体が倒された使用状態と前記テーブル本体が起立した非使用状態とでは、前記フサギ板が前記段差に当たって位置決めされるようにしたものであることが好ましい。
【発明の効果】
【００１０】
本発明によれば、テーブル本体とブラケットとの間に挟み込まれ、大きな可動穴を塞ぐようにしたフサギ板を設け、その可動穴の露出部分が小さくなり異物の挿入を防止することができる。そして特に、本発明では、フサギ板によって異物挿入を防止するよう構成したため、従来例のように折りたたみ式テーブルそのものを設計及び製造し直す必要がなく、既存のものを利用することでコストをかけずに従来例と同様の前記効果を達成することが可能である。
【図面の簡単な説明】
【００１１】
【図１】実施形態における折りたたみ式テーブルの使用状態を示した平面図である。
【図２】実施形態における折りたたみ式テーブルの使用状態を示した側面図である。
【図３】折りたたみ式テーブルのブラケットを示した内側の側面図である。
【図４】図３に示すブラケットのＩ−Ｉ断面を示した図である。
【図５】フサギ板を示した図である。
【図６】テーブル本体の揺動に伴うフサギ板の各状態を示した図である。
【図７】従来の折りたたみ式テーブルの軸部の構成を示した透過図である。
【発明を実施するための形態】
【００１２】
次に、本発明に係る折りたたみ式テーブルの一実施形態について図面を参照しながら以下に説明する。本実施形態の折りたたみ式テーブルは、列車の客室内に設けられたものを示して説明する。すなわち、最前列の座席前の壁に設けられた折りたたみ式テーブルについて説明する。図１は、折りたたみ式テーブルの使用状態を示した平面図であり、図２は、同じ折りたたみ式テーブルの使用状態を示した側面図である。
【００１３】
折りたたみ式テーブル１は、従来の折りたたみ式テーブルと同様に、壁８０に支持部材２が固定され、その支持部材２にテーブル本体３が軸支されている。支持部材２は、左右のブラケット２１，２２が固定部２３の端部に一体に形成されたものである。支持部材２は、固定部２３が壁８０に対してネジ２５によって固定され、ブラケット２１，２２が壁８０から水平方向に突き出している。ブラケット２１，２２は、固定部２３に対してネジ２６によって着脱可能に取り付けられている。
【００１４】
テーブル本体３は、ブラケット２１，２２の形状に合わせて切り欠かれた段部３１，３２が左右に形成され、その段部３１，３２にはそれぞれ２本のピンが突設されている。そのうちの１本は、揺動の中心となるヒンジピン３５であり、もう１本はテーブル本体３の姿勢を保持するためのロックピン３６である。支持部材２のブラケット２１，２２には、ヒンジピン３５とロックピン３６が挿入される穴が形成されている。図３は、支持部材２のブラケット２１を示した内側の側面図である。反対側のブラケット２２は、ブラケット２１と対称的に構成されているため、図面及びその説明は省略する。
【００１５】
ブラケット２１は、図１に示すように所定の厚みを持った板状の部材であり、円形の貫通した軸穴４１と、ロックピン３６が移動する大きな可動穴４２が形成されている。可動穴４２には複数のバネ部材が挿入され、ネジ２７とナット２８によって固定されている。バネ部材は、短冊状の金属が所定の形状に曲げられたものであり、ロックピン３６を付勢するよう構成されている。そのバネ部材は、円弧状に移動するロックピン３６の軌跡に沿った湾曲面を有するバネ部材４３のほか、そのバネ部材４３を弾性的に支えるバネ部材４４，４５などから構成されている。
【００１６】
バネ部材４３は、ロックピン３６が常に押し当てられた状態になっている。特に、ロックピン３６の円弧状に移動する移動方向両端部の位置、すなわち図３の実線と破線とで示した位置では、バネ部材４４，４５による付勢力が作用する。可動穴４２には、その各付勢位置に対応して凹部４２ａ，４２ｂが形成され、バネ部材４４，４５が凹部４２ａ，４２ｂの深さ方向に撓むよう構成されている。
【００１７】
また、可動穴４２には、ロックピン３６の移動方向端部の各位置に当板４６がはめ込まれている。そのため、移動方向端部に位置するロックピン３６は、凹部４２ａ，４２ｂ側に押されて撓んだバネ部材４４，４５の反力によって当板４６に押し当てられる。こうしてロックピン３６が位置決めされ、テーブル本体３の使用状態と非使用状態とがそれぞれ保持される。なお、実線で描いたロックピン３６の位置がテーブル本体３を水平に倒した折りたたみ式テーブル１の使用状態に対応し、破線の位置がテーブル本体３が壁に沿って起立した非使用状態に対応する。
【００１８】
ブラケット２１には、軸穴４１と可動穴４２とが設けられている可動範囲４７を区切るように段差４８が形成され、その可動範囲４７側が凹むようにブラケット２１の厚みが薄くなっている。ここで図４は、図３に示すブラケット２１のＩ−Ｉ断面を示した図である。本実施形態のブラケット２１は厚さＢ１が１７ｍｍで設計され、可動範囲４７は厚さＢ２は１５ｍｍで設計されている。本実施形態では、このように可動穴４２の開口面側に段差４８を形成することにより、ブラケット２１とテーブル本体３との間に段差分の隙間が設けられ、そこに１．７ｍｍ厚のフサギ板５が挿入される。
【００１９】
図５は、フサギ板５を示した図である。このフサギ板５は、ブラケット２１の可動穴４２を塞ぐことにより、その中に異物が挿入されないようにしたものである。フサギ板５は図示する形状で形成され、ヒンジピン３５が貫通する長円形の軸側貫通孔５１と、ロックピン３６が貫通する湾曲した長円形の可動側貫通孔５２があけられている。軸側貫通孔５１と可動側貫通孔５２はいずれも長孔である。そして、このフサギ板５は、図１に示すように、ヒンジピン３５とロックピン３６とが貫通した状態で、支持部材２のブラケット２１，２２とテーブル本体３との間に挟み込まれる。
【００２０】
このように本実施形態では、従来にはないフサギ板５を新たに設け、そのフサギ板５を挟み込むためにブラケット２１に段差４８が形成されている。折りたたみ式テーブル１の支持部材２は、固定部２３に対してブラケット２１，２２がネジ止めされ一体に形成されたものである。従って、この折りたたみ式テーブル１では、テーブル本体３や支持部材２の固定部２３は従来のものがそのまま利用され、フサギ板５及びブラケット２１，２２が新たに設計及び製造される。
【００２１】
折りたたみ式テーブル１は、図１及び図２に示すように、壁８０に支持部材２が固定され、そのブラケット２１，２２に対してテーブル本体３が揺動可能に取り付けられる。テーブル本体３は、ブラケット２１，２２の軸穴４１と可動穴４２にヒンジピン３５とロックピン３６とがそれぞれに挿入され、その際、フサギ板５が挟み込まれ、ヒンジピン３５とロックピン３６とが軸側貫通孔５１と可動側貫通孔５２を貫通している。
【００２２】
続いて、折りたたみ式テーブル１の動作について説明する。図６は、テーブル本体３の揺動に伴うフサギ板５の各状態を示した図であり、（ａ）〜（ｄ）にかけて順に、テーブル本体３が壁に沿って起立した非使用状態（ａ）、使用位置まで倒れる途中の状態（ｂ）、テーブル本体３が水平に倒れた使用状態（ｃ）、そして非使用位置まで起立する途中の状態（ｄ）が示されている。
【００２３】
折りたたみ式テーブル１は、通常、図６（ａ）に示すように、テーブル本体３が起立した非使用状態にある。そこで、最前列の座席に座った乗客は、テーブル本体３を手前（図面左側）に倒して使用する。手前に倒れるテーブル本体３は、ヒンジピン３５を中心にして揺動し、図６（ｂ）に示すように傾けられる。このときロックピン３６は（図３参照）、バネ部材４３の湾曲した面を滑りながら、破線で示す位置から実線で示す位置へと移動する。フサギ板５の可動側貫通孔５２は、そうしたロックピン３６の移動範囲より小さく形成されているため、図６（ｂ）に示す途中でロックピン３６が当たり、その後はフサギ板５が引っ掛けられた状態でスライドする。そのため、図６（ｃ）に示すように、フサギ板５はロックピン３６の移動に伴って上方に移動し、ヒンジピン３５は軸側貫通孔５１内を相対的に下方へと移動する。
【００２４】
本実施形態では、こうしてフサギ板５をスライドさせるため、ヒンジピン３５の軸側貫通孔５１を円ではなく長円形の長孔とし、可動側貫通孔５２も前述したようにロックピン３６の移動範囲よりも小さく形成されている。これは、フサギ板５をスライドさせることにより、フサギ板５自体を小さく形成するためである。そして、フサギ板５を小さくすることにより、図６（ａ）の非使用状態と図６（ｃ）の使用状態とにおいて側面側から見た場合に、テーブル本体３やブラケット２１からフサギ板５がほとんどはみ出さないようにしている。
【００２５】
従って、フサギ板５は、可動穴４２を塞ぐことを目的としているが、それがテーブル本体３やブラケット２１からはみ出してしまわないように構成されている。そのため、フサギ板５の一部の形状は、非使用状態（ａ）と使用状態（ｃ）におけるテーブル本体３やブラケット２１を側面側から見た外形に合わせた形状に形成されている。更に、フサギ板５は、非使用状態（ａ）と使用状態（ｃ）において、直線状の２つの辺５ａ，５ｂがブラケット２１の段差４８に当たって位置決めできるように形成されている。図６（ｃ）に示すテーブル本体３が水平になった使用状態では、フサギ板５は、辺５ｂが段差４８に当たって位置決めされる。
【００２６】
図６（ｃ）に示す使用状態では、走行中の振動などでテーブル本体３がガタつかないように、ロックピン３６にバネ部材の付勢力が作用し、テーブル本体３の姿勢が保持されている。すなわち、図３に示す実線の位置にあるロックピン３６は、バネ部材４５の返し部分を凹部４２ａ側へ押し付け、その反力によって当板４６に押し当てられる。こうして折りたたみ式テーブル１は、テーブル本体３の使用状態が保持される。そして、折りたたみ式テーブル１を片付ける場合には、乗客が図６（ｃ）に示す状態のテーブル本体３の先端側を上方に跳ね上げるようにして起立させる。その際、テーブル本体３は、ヒンジピン３５を中心にして揺動し、図６（ｄ）に示すように傾けられる。
【００２７】
ロックピン３６は（図３参照）、バネ部材４３の湾曲した面を滑りながら、実線で示す位置から破線で示す位置へと移動する。その途中では、図６（ｄ）に示すようにフサギ板５が下方にスライドする。ロックピン３６の軌跡と可動側貫通孔５２の形状とは一致していないため、その可動側貫通孔５２を移動するロックピン３６によってフサギ板５が押し下げられるからである。そして、その後フサギ板５は回転方向にもスライドし、図６（ａ）に示すように、フサギ板５は辺５ａが段差４８に当たって位置決めされる。テーブル本体３は起立し、折りたたみ式テーブル１は非使用状態となる。
【００２８】
こうした非使用状態でも走行中の振動などでテーブル本体３が倒れないように、ロックピン３６にバネ部材の付勢力が作用し、起立した状態が維持される。すなわち、図３に示す破線の位置にあるロックピン３６は、バネ部材４４の返し部分を凹部４２ｂ側へ押し付け、その反力によって当板４６に押し当てられる。こうしてテーブル本体３が起立した折りたたみ式テーブル１の非使用状態が保持される。
【００２９】
以上のように本実施形態の折りたたみ式テーブル１は、図６（ａ）に示す非使用状態と、図６（ｃ）に示す使用状態とに変化するものであるが、各状態においてフサギ板５が可動穴４２を覆っている。そして、フサギ板５は、使用・非使用の各状態においてテーブル本体３やブラケット２１からはみ出さないように形成され、可動穴４２の露出部分が小さくなっている。フサギ板５は、可動穴４２を完全に塞ぐことは出来ないが、図６（ｃ）に示す使用状態であっても、その露出部分にはバネ部材４３，４４，４５やナットが存在するため空間はほとんど無く、可動穴４２への異物の挿入を効果的に防止することができる。
【００３０】
そして、特にフサギ板５を用いて可動穴４２への異物挿入を防止するように構成したため、本実施形態では従来例のように折りたたみ式テーブルそのものを設計及び製造し直す必要がなく、既存のものを利用することでコストをかけずに従来例と同様の前記効果を達成することが可能になった。具体的には、フサギ板５と、そのフサギ板５が配置できるように段差４８を備えたブラケット２１，２２を新たな部材として用意すればよく、テーブル本体３やブラケット２１，２２内に組み込むバネ部材４３〜４６などは既存のものをそのまま利用することができる。
【００３１】
また、フサギ板５は、使用・非使用の各状態においてテーブル本体３やブラケット２１に重なり、はみ出さないように形成されている。そのため、１．７ｍｍ程度の薄板であるフサギ板５であっても、何かをぶつけて割ってしまうような心配もない。そして、こうしたフサギ板５は、段差４８をガイドにしてスライドしたり位置決めされるため、使用・非使用の各状態における位置や、途中の動きが安定する。
【００３２】
以上、本発明に係る折りたたみ式テーブルについて一実施形態を示して説明したが、本発明はこれに限定されることなく、その趣旨を逸脱しない範囲で様々な変更が可能である。
例えば、前記実施形態ではブラケット２１，２２に段差４８を形成してフサギ板５の設置スペースを確保したが、ブラケット自体を左右外側に移動させて固定するなどし、フサギ板をテーブル本体３との間に挟み込むようにしてもよい。
【符号の説明】
【００３３】
１    折りたたみ式テーブル
２    支持部材
３    テーブル本体
５    フサギ板
２１，２２  ブラケット
３５  ヒンジピン
３６  ロックピン
４１  軸穴
４２  可動穴
４３，４４，４５  バネ部材
４８  段差
５１  軸側貫通孔
５２  可動側貫通孔
【要約】
【課題】既存のものを利用して可動穴への異物挿入を防止するようにした折りたたみ式テーブルを提供すること。
【解決手段】左右反対側に突き出した各一対のヒンジピン３５とロックピン３６とを備えたテーブル本体３と、揺動の中心となるヒンジピン３５が挿入される軸穴４１および、ロックピン３６が挿入され、そのロックピン３６を付勢するバネ部材４３，４４，４５が組み込まれた可動穴４２が形成された左右一対のブラケット２１，２２とを有し、壁面に固定されたブラケット２１，２２に対しテーブル本体３が揺動可能に支持されたものであって、テーブル本体３のヒンジピン３５とロックピン３６とがそれぞれに貫通する貫通孔５１，５２が形成された板材であり、可動穴４２を塞ぐためテーブル本体３とブラケット２１，２２との間に挟み込まれたフサギ板５を有する折りたたみ式テーブル１。
【選択図】  図６【図１】
0005467139.tif 000002
【図２】
0005467139.tif 000003
【図３】
0005467139.tif 000004
【図４】
0005467139.tif 000005
【図５】
0005467139.tif 000006
【図６】
0005467139.tif 000007
【図７】
0005467139.tif 000008